(57)【要約】【課題】筺体の見え方が表示画面の見え方に与える影響を抑制して、表示画面の見え方を一定に保つ。【解決手段】筺体の色、表面処理など、筺体の種類に応じた画面調整値をＲＯＭ６またはＥＥＰＲＯＭ８に記憶させておき、マイクロコントローラ５によってその画面調整値を読み出して、表示変換調整回路４およびインバータ１３を制御することによって、輝度、濃度、色合い、コントラスト等の画像調整要素を調整する。周囲光センサ１１にて検出した周囲の明るさと、筺体の種類に応じた画面調整値を用いて輝度、濃度、色合い、コントラスト等の画像調整要素を調整することによって、周囲光によって筺体の見え方が変化して表示画面の見え方に与える影響についても抑制することができる。【選択図】　　図１
2004045466.tif 000002
【特許請求の範囲】
【請求項１】
表示画面と、
該表示画面が取り付けられ、該表示画面の周囲にその表面が露出して見えている有色筐体と、
該筐体の色に応じた画面調整値が記憶される記憶手段と、
該記憶手段に記憶された画面調整値に基づいて該表示画面の表示画像を調整する画面調整手段とを備えた表示装置。
【請求項２】
表示画面と、
該表示画面が取り付けられ、該表示画面の周囲にその表面が露出して見えている有色筐体と、
複数色の筐体に対して、各色毎に画面調整値が記憶される記憶手段と、
筺体の色を指示する指示手段と、
該指示手段に指示された色に応じて該記憶手段に記憶された画面調整値を取得し、該画面調整値に基づいて該表示画面の表示画像を調整する画面調整手段とを備えた表示装置。
【請求項３】
表示画面と、
該表示画面が取り付けられ、該表示画面の周囲にその表面が露出して見えている有色筐体と、
周囲の明るさを検出する周囲光検出手段と、
該筐体の色に応じた画面調整値が記憶される記憶手段と、
該記憶手段に記憶された画面調整値および該周囲光検出手段にて検出された周囲の明るさに基づいて該表示画面の表示画像を調整する画面調整手段とを備えた表示装置。
【請求項４】
前記記憶手段には、前記筺体に施された表面加工に応じた画面調整値が記憶されている請求項１〜請求項３のいずれかに記載の表示装置。
【請求項５】
前記記憶手段には、前記表示画面の面積と前記筺体の露出面積との比率に応じた画面調整値が記憶されている請求項１〜請求項３のいずれかに記載の表示装置。
【請求項６】
表示画面と、該表示画面が取り付けられ、該表示画面の周囲にその表面が露出している有色筐体と、画面調整値が記憶される記憶手段と、該表示画面の表示画像を調整する画面調整手段とを備えた表示装置の画面調整方法であって、
該筺体の色に応じた画面調整値を該記憶手段に記憶させるステップと、
画面調整手段により該記憶手段に記憶された画面調整値を取得し、該画面調整値に基づいて画面調整を行うステップとを含む表示装置の画面調整方法。
【請求項７】
表示画面と、該表示画面が取り付けられ、該表示画面の周囲にその表面が露出している有色筐体と、複数種類の画面調整値が記憶される記憶手段と、筺体の種類を指示する指示手段と、該表示画面の表示画像を調整する画面調整手段とを備えた表示装置の画面調整方法であって、
複数種類の筐体に対して、各種類毎に画面調整値を該記憶手段に記憶させるステップと、
筺体の種類を指示するステップと、
該画面調整手段により該指示手段に指示された筺体の種類に応じて該記憶手段に記憶された画面調整値を取得し、該画面調整値に基づいて画面調整を行うステップとを含む表示装置の画面調整方法。
【請求項８】
表示画面と、該表示画面が取り付けられ、該表示画面の周囲にその表面が露出している有色筐体と、複数種類の画面調整値が記憶される記憶手段と、周囲の明るさを検出する周囲光検出手段と、該表示画面の表示画像を調整する画面調整手段とを備えた表示装置の画面調整方法であって、
該筺体の色に応じた画面調整値を該記憶手段に記憶させるステップと、
周囲光検出手段により周囲の明るさを検出するステップと、
該画面調整手段により、該記憶手段に記憶された画面調整値を取得し、該画面調整値および該周囲光検出手段にて検出された周囲の明るさに基づいて画面調整を行うステップとを含む表示装置の画面調整方法。
【発明の詳細な説明】
【０００１】
【発明の属する技術分野】
本発明は、例えば、コンピュータのモニタ装置、携帯型電話器、携帯型端末機器等のように表示画面を備え、文字、イメージ像などがその表示画面に表示される表示装置およびその画面調整方法に関する。
【０００２】
【従来の技術】
液晶ディスプレイ、ＣＲＴ（カソードレイチューブ）ディスプレイ等の表示装置においては、例えば特開平８−１２３３８５号公報に開示されているように、表示画面のコントラスト、輝度等を調整可能となっているものがある。
【０００３】
図４２は、特開平８−１２３３８５号公報に開示されている表示装置１００の構成を示す平面図である。
【０００４】
この表示装置１００は、表示部１０１の周囲に、表示部１０１に表示される画像のコントラストを手動で調整するためのコントラスト調整つまみ１０２、および表示画像の輝度を手動で調整するための輝度調整つまみ１０３が設けられており、操作者が見易いように表示画面に表示される画像のコントラスト、輝度を調整することが可能となっている。
【０００５】
また、周囲の明るさを検出するための光検出センサ１０４、周囲温度を検出するための温度センサ１０５および表示画面全面に対する操作者の位置を検出するための物体検出センサ１０６が設けられており、外部光強度と方向、周囲温度、操作者の画面に対する位置などを検出することが可能となっている。これらの情報によって、操作者がさらに見易いように、表示画面に表示される画像のコントラスト、輝度を制御することができる。
【０００６】
【発明が解決しようとする課題】
表示装置を観察する場合、操作者は、一般に、見える範囲（視野）内において表示画面を視覚的に捕らえることにより、表示画面に表示された内容を認識する。そのため、表示装置は、一般に、操作者の視野内に捕らえることが可能な大きさの表示画面を備えている。また、表示画面に操作者の視野を超える部分が存在する場合には、操作者は、視線の中心位置を移動させること、表示画面と眼との距離を変えることなどによって、表示画面が一度に視野内に入るように調整して、表示画面の視認性が悪化することを防ぐことができる。
【０００７】
ところで、表示画面は筐体に取り付けられており、表示画面の形状は様々な縦横比率の縦長、横長の長方形状であることが多い。また、操作者である人間の視野の形状は、左右両眼の視野が合成されるため、横長の楕円形状である。よって、表示画面の形状と操作者の視野の形状とを完全に一致させることは容易ではないため、操作者は、表示画面以外に、表示画面の周囲に露出して見えている筐体部分を視野内に捕らえざるを得ない。
【０００８】
図４３は、表示装置と操作者の視点との位置関係を説明するための断面図であり、図４４は表示画面の見え方を説明するための平面図である。
【０００９】
ここでは、台２０の上に液晶表示ユニット２が配置されている、液晶表示ユニット２は、表示画面２ａが筺体２ｂに取り付けられており、筺体２ｂの表面は表示画面２ａの周囲に露出して見えている。操作者の視点３０は、操作者の視界上限と視界下限との間に液晶表示ユニット２の表示画面２ａが入るように位置が調整されている。筺体２ｂは、それ自体が発光して光を放射するものではないが、周囲光源からの光が照射されることによって、筺体２ｂが見えるようになっている。これによって、操作者の視野内には、表示画面２ａからの像と共に筺体２ｂからの像が入射されて観察されるようになっている。
【００１０】
このように、操作者３０は、得たい情報が表示されている表示画面２ａだけではなく、表示画面２ａと同時に視野内に入ってくる表示画面周囲の筐体２ｂ部分を観察することになる。
【００１１】
一般に、人間の視覚特性には、蛍光灯下、白熱灯下等といった異なる光源下でも、同じような色であると認識することができるように、視覚的な色合いを調整する調整機能が存在する。また、周囲が暗くても明るくても同じように見えるように、眼球の虹彩により明るさをある程度調整する調整機能が存在する。このため、同じ明るさの表示画面であっても、周囲が明るい場合には暗く感じ、周囲が暗い場合には明るく感じるというように、相対的な明るさによって表示画面の見え方に変化が生じる。また、同じ表示画面であっても、周囲の色調と表示画面の色調とが黒と白、青と黄、赤と水色、緑と赤紫等といった補色の関係にある場合には鮮やかに感じ、同系統の色である場合にはくすんでいるように感じるというように、相対的な色調によって表示画面の見え方に変化が生じる。
【００１２】
従って、表示画面に同じものを同じように表示しても、表示画面だけではなく、視野内に捕らえられる筐体から受ける影響が存在するため、筐体の種類が異なる場合には表示画面から受ける印象が異なり、画面表示特性、見易さ、作業性等が変動するという問題が生じる。
【００１３】
また、表示画面の面積と筐体が見えている部分（露出部）の面積との比率が異なる場合には、筐体の見え方が表示画面の見え方に影響する度合いが変わる。このため、表示画面の面積と筐体の露出部の面積との比率により、表示画面の印象、画面表示特性、見易さ、作業性等が変動するという問題が生じる。
【００１４】
さらに、筐体は、それ自体が発光しているわけではないため、筺体の見え方は周囲光の影響を受けることになる。そのため、筐体の色だけではなく、周囲光による影響の度合いを左右する表面処理、例えばつやあり、つや消し、半つや消しなどの違いによって、表示画面の見え方が変化する。特に、最近では、様々な形状のデザイン、様々な彩色、鏡面加工、ツヤ消し加工等といった表面処理が施された筺体が存在するため、このような筺体の表面処理によっても、表示画面の印象、画面表示特性、見易さ、作業性等が変動するという問題が生じる。
【００１５】
本発明はこのような従来技術の課題を解決するためになされたものであり、筺体の見え方が表示画面の見え方に与える影響を抑制して、表示画面の見え方を一定に保つことができる表示装置およびその画面調整方法を提供することを目的とする。
【００１６】
【課題を解決するための手段】
本発明の表示装置は、表示画面と、該表示画面が取り付けられ、該表示画面の周囲にその表面が露出して見えている有色筐体と、該筐体の色に応じた画面調整値が記憶される記憶手段と、該記憶手段に記憶された画面調整値に基づいて該表示画面の表示画像を調整する画面調整手段とを備え、そのことにより上記目的が達成される。
【００１７】
本発明の表示装置は、表示画面と、該表示画面が取り付けられ、該表示画面の周囲にその表面が露出して見えている有色筐体と、複数色の筐体に対して、各色毎に画面調整値が記憶される記憶手段と、筺体の色を指示する指示手段と、該指示手段に指示された色に応じて該記憶手段に記憶された画面調整値を取得し、該画面調整値に基づいて該表示画面の表示画像を調整する画面調整手段とを備え、そのことにより上記目的が達成される。
【００１８】
本発明の表示装置は、表示画面と、該表示画面が取り付けられ、該表示画面の周囲にその表面が露出して見えている有色筐体と、周囲の明るさを検出する周囲光検出手段と、該筐体の色に応じた画面調整値が記憶される記憶手段と、該記憶手段に記憶された画面調整値および該周囲光検出手段にて検出された周囲の明るさに基づいて該表示画面の表示画像を調整する画面調整手段とを備え、そのことにより上記目的が達成される。
【００１９】
好ましくは、前記記憶手段には、前記筺体に施された表面加工に応じた画面調整値が記憶されている。
【００２０】
好ましくは、前記記憶手段には、前記表示画面の面積と前記筺体の露出面積との比率に応じた画面調整値が記憶されている。
【００２１】
本発明の表示装置の画像調整方法は、表示画面と、該表示画面が取り付けられ、該表示画面の周囲にその表面が露出している有色筐体と、画面調整値が記憶される記憶手段と、該表示画面の表示画像を調整する画面調整手段とを備えた表示装置の画面調整方法であって、該筺体の色に応じた画面調整値を該記憶手段に記憶させるステップと、画面調整手段により該記憶手段に記憶された画面調整値を取得し、該画面調整値に基づいて画面調整を行うステップとを含み、そのことにより上記目的が達成される。
【００２２】
本発明の表示装置の画面調整方法は、表示画面と、該表示画面が取り付けられ、該表示画面の周囲にその表面が露出している有色筐体と、複数種類の画面調整値が記憶される記憶手段と、筺体の種類を指示する指示手段と、該表示画面の表示画像を調整する画面調整手段とを備えた表示装置の画面調整方法であって、複数種類の筐体に対して、各種類毎に画面調整値を該記憶手段に記憶させるステップと、筺体の種類を指示するステップと、該画面調整手段により該指示手段に指示された筺体の種類に応じて該記憶手段に記憶された画面調整値を取得し、該画面調整値に基づいて画面調整を行うステップとを含み、そのことにより上記目的が達成される。
【００２３】
本発明の表示装置の画面調整方法は、表示画面と、該表示画面が取り付けられ、該表示画面の周囲にその表面が露出している有色筐体と、複数種類の画面調整値が記憶される記憶手段と、周囲の明るさを検出する周囲光検出手段と、該表示画面の表示画像を調整する画面調整手段とを備えた表示装置の画面調整方法であって、該筺体の色に応じた画面調整値を該記憶手段に記憶させるステップと、周囲光検出手段により周囲の明るさを検出するステップと、該画面調整手段により、該記憶手段に記憶された画面調整値を取得し、該画面調整値および該周囲光検出手段にて検出された周囲の明るさに基づいて画面調整を行うステップとを含み、そのことにより上記目的が達成される。
【００２４】
以下に、本発明の作用について説明する。
【００２５】
本発明にあっては、筺体の色、筺体の表面処理、表示画面周囲に露出している筺体部分の面積（露出面積）など、筺体の種類に応じた画面調整値を記憶手段に記憶させておくことによって、その画面調整値を用いて輝度、濃度、色合い、コントラスト等の画像調整要素を調整することができるため、筺体が表示画面の見え方に与える影響を抑制して、表示画面の視認性の悪化、作業性の低下等を防ぐことが可能となる。
【００２６】
また、本発明にあっては、複数種類の筺体に対して、各種類毎に画面調整値を記憶手段に記憶させておき、その種類を指示手段にて指示することによって、指示された種類に応じた画面調整値を用いて輝度、濃度、色合い、コントラスト等の画像調整要素を調整することができるため、様々な構成、仕様の表示装置に本発明を適用することが可能となる。
【００２７】
さらに、本発明にあっては、周囲光検出手段にて検出した周囲の明るさと、筺体の種類に応じた画面調整値を用いて輝度、濃度、色合い、コントラスト等の画像調整要素を調整することができるため、周囲光によって筺体の見え方が変化して表示画面の見え方に与える影響を抑制することが可能となる。
【００２８】
【発明の実施の形態】
以下に、本発明の実施の形態について、図面に基づいて説明する。なお、以下では、本発明をコンピュータ表示処理装置（コンピュータのモニター装置）に適用した例について説明するが、本発明はこれに限定されるものではない。表示画面に表示される画像データ信号源は表示装置内部に設けられていても外部に設けられていてもよく、例えば画像データ信号の送出元が装置内部である場合には、表示画面が設けられた端末機器、処理装置等であってもよい。さらに、表示手段としては液晶表示ユニットを用いているが、ＣＲＴ、プラズマディスプレイ等を用いることも可能であり、これらに限定されるものではない。
【００２９】
図１は、本発明の一実施形態であるコンピュータ表示処理装置１の基本的な構成を示すブロック図である。
【００３０】
このコンピュータ表示処理装置１は、コンピュータ映像ケーブルを介して図示しないコンピュータや、その他、ビデオレコーダー、ＴＶチューナーの映像出力等からの表示データが表示信号入力回路３に入力されるようになっている。表示信号入力回路３に入力された表示データは、表示変換調整回路４に入力される。コンピュータ及びその他から出力される表示データは、コンピュータ及びその他のハードウェアまたはソフトウェアに従って様々なタイミングおよび画面仕様で出力されるため、表示変換調整回路４でそのタイミングおよび画面仕様を検出し、液晶表示ユニット２に適したタイミングおよび画面仕様に変換されて、液晶表示ユニット２に供給される。液晶表示ユニット２では、供給された表示データに基づいて、表示画面に画像が表示される。
【００３１】
表示変換調整回路４は、表示データのタイミングおよび画面仕様を変換するだけではなく、画面調整手段としての機能も有しており、表示しようとする画像データに対して、例えば明るさ（輝度）、濃度、色合い、コントラストなどのような画像調整要素を変化させることが可能となっている。これらの画像調整要素は、操作者がＫＥＹ（キー）１０から指示を入力して調整することが可能となっている。また、ＲＯＭ（リードオンリメモリ）６またはＥＥＰＲＯＭ（電気的に書き換え可能なＲＯＭ）８に予め記憶されている画像調整値を読み出して、各画像調整要素を調整することも可能となっている。
【００３２】
上記表示信号入力回路３、表示変換調整回路４、ＲＯＭ６、ＲＡＭ（ランダムアクセスメモリ）７、Ｉ／Ｏポート９およびＥＥＰＲＯＭ８は、内部バスライン１２を介してマイクロコントローラ５と接続されている。マイクロコントローラ５は、内部バス１２を介して、表示信号入力回路３、表示変換調整回路４、ＲＯＭ６、ＲＡＭ７、Ｉ／Ｏポート９およびＥＥＰＲＯＭ８との間で情報の受け渡しを行い、その結果に応じてそれぞれを制御するようになっている。ＲＯＭ６またはＥＥＰＲＯＭ８には、マイクロコントローラ５の動作を定めるプログラム、および表示画面にメニューとして表示される文字、グラフィック等のデータが格納されている。また、ＥＥＰＲＯＭ８は、その不揮発性と書き換え可能性とを利用して、操作者による指示設定またはコンピュータ表示処理装置１の設定データなどを格納するために用いられる。
【００３３】
Ｉ／Ｏポート９は、操作者からの指示が入力されるＫＥＹ１０、周囲の明るさを検出する周囲光センサ１１およびインバータ１３と接続されている。マイクロコントローラ５は、Ｉ／Ｏポート９を介して、ＫＥＹ１０から入力された操作者からの指示情報を読み込み、その指示情報に応じて各部の制御を行うようになっている。
【００３４】
また、マイクロコントローラ５は、Ｉ／Ｏポート９を介して周囲光センサ１１により検出された周囲の明るさ情報を読み取り、その情報に応じて各部の制御を行って表示画面に表示される画像を調整することができる。さらに、マイクロコントローラ５は、Ｉ／Ｏポート９を介してインバータ１３を制御してバックライト１４の明るさを調整し、液晶表示ユニット２の表示画面が見易くなるように表示画面の明るさを調整することが可能である。なお、表示変換調整回路４で表示データを調整することによっても、インバータ１３によりバックライト１４の明るさを調整することによっても、表示画面の明るさを変更することが可能である。さらに、周囲光センサ１１として、色成分毎に明るさを検出可能なカラーＣＣＤを用いることによって、周囲光の色合いを検出することも可能となる。
【００３５】
以下に、このように構成された本実施形態のコンピュータ表示処理装置１において、表示画面に表示される画像を調整する方法について説明する。
【００３６】
上記図４３および図４４にて説明したように、操作者の視点３０から見た視界（視界上限から視界下限まで）の範囲内には、液晶表示ユニット２の表示画面２ａからの像と筐体２ｂからの像とが含まれている。
【００３７】
ここで、表示画面２ａは、バックライト１４などによりそれ自体から光が放射されているが、筐体２ｂでは、筺体２ｂ表面に施された表面色に周囲光源からの光が照射されて色として認識されるようになっている。従って、筺体２ｂにどのような彩色が施されていても、周囲に光源が存在しない場合には、色として認識されることはない。筐体２ｂに周囲の光源からの光が照射され、その光を操作者が認識することによって、筐体２ｂの色として認識される。
【００３８】
例えば、筺体２ｂの色が白に近いほど、多くの光が反射されて操作者の眼に入射され、筺体２ｂの色が黒に近いほど、操作者の眼に入射される光が少なくなり、光の三原色である緑Ｇ、赤Ｒおよび青Ｂの割合により、その色合いが認識される。例えば、筐体２ｂの表面によって緑の成分が多く反射された場合には筺体２ｂが緑味がかって見え、青の成分が多く反射された場合には筺体２ｂは青味がかって見える。また、筺体２ｂの表面によって緑、赤、青が均等に反射された場合には、白、黒、灰色等といったモノクロの色として見える。
【００３９】
このように、筐体２ｂにて反射された光の量により筐体２ｂの見え方が変わることから、筐体２ｂに施された彩色以外に、表面処理、例えばつやの有無、表面の細かい凹凸などによっても、筺体２ｂの見え方が左右される。そこで、本実施形態では、筐体２ｂの彩色および表面処理を考慮して、表示画面２ａの表示画像を調整することとする。また、筐体２ｂが表示画面２ａの周囲に露出して見えている部分の面積が大きいほど、周囲光源からの光が筐体２ｂの多くの部分（露出部）に照射されて反射されることになるため、本実施形態では、表示画面２ａと、表示画面２ａ周囲に露出している筺体２ｂ部分との面積比率についても考慮して、表示画面２ａの表示画像を調整することとする。
【００４０】
以下に、筐体２ｂの色が、表示画面２ａに表示される画像の見え方に与える影響について説明する。まず、筐体２ｂの色が、表示画面２ａに表示される画像の明るさに与える影響について説明する。
【００４１】
図２（Ａ）は、コンピュータ表示処理装置１の表示画面２ａに表示される画像データの例を示す図である。ここでは、図２（Ｂ）に示すような黒い筐体に表示する場合と、図２（Ｃ）に示すような白い筐体に表示する場合とを考える。図２（Ｂ）に示す黒い筐体と、図２（Ｃ）に示す白い筐体とは、同じ大きさとする。
【００４２】
図３は、図２に示す画像データおよび筐体それぞれの明るさを縦軸に示し、それぞれの明るさの部分の面積（大きさ）を横軸に示すグラフである。明るさは、最も暗い表示を０、最も明るい表示を１５として示している。図３（Ａ）は図２（Ａ）に示す画像データの明るさの分布を示すグラフであり、中間程度の明るさを有する部分の面積が最も多いことを示している。また、図３（Ｂ）は図２（Ｂ）に示す黒い筐体の明るさの分布を示すグラフであり、図３（Ｃ）は図２（Ｃ）に示す白い筐体の明るさの分布を示すグラフである。上述したように、筐体は自ら発光するものではないため、上記図４３に示すように、操作者の視点３０を想定した標準的なコンピュータ表示処理装置１の使用環境を設定し、想定される周囲明るさにおいて、操作者の視点３０から輝度測定器を用いて筐体各部の表面輝度分布を測定することによって、図３（Ｂ）および図３（Ｃ）に示すグラフを得ている。このような方法を用いることにより、筐体の色による明るさの違い、表面処理による明るさの違いを含めて一括して測定することが可能となり、筐体の色が明るさに与える影響以外に、表面処理が与える影響を加味して、操作者の眼から見た筺体の見え方を把握することが可能となる。
【００４３】
図４は、図２（Ａ）に示す画像データを図２（Ｂ）および図２（Ｃ）に示す筐体に取り付けられた表示画面に表示した状態を示す図である。図４（Ａ）は図２（Ａ）に示す画像データであり、これを図２（Ｂ）に示す黒い筐体に表示したものが図４（Ｂ）であり、図２（Ｃ）に示す白い筐体に表示したものが図４（Ｃ）である。
【００４４】
図５（Ａ）〜（Ｃ）は、それぞれ、図４（Ａ）〜（Ｃ）に示す画像データおよび筐体それぞれの明るさを縦軸に示し、それぞれの明るさの部分の面積を横軸に示すグラフである。なお、図５（Ａ）〜（Ｃ）、（Ｂ´）および（Ｃ´）において、１点鎖線は画像データ単体の明るさの中心値を示し、点線は画像データの表示および筐体の見え方を合わせた明るさの平均値を示す。図５（Ｂ）は、図３（Ａ）と（Ｂ）との合成であり、図２（Ｂ）に示す黒い筐体に図２（Ａ）に示す画像データを表示したときの状態を示す。また、図５（Ｃ）は、図３（Ａ）と（Ｃ）との合成であり、図２（Ｃ）に示す白い筐体に図２（Ａ）に示す画像データを表示したときの状態を示す。
【００４５】
これらを実際に表示すると、人間の視覚特性として無意識に明るさ、色合い等をある程度調整する働きがあることから、一定の見え方を保とうとして、図２（Ｂ）に示す黒い筐体でも、図２（Ｃ）に示す白い筐体でも、平均的な明るさが同じになるように、無意識に表示が補正されて見える。
【００４６】
例えば、図２（Ｂ）に示す黒い筐体では、筐体が暗く見えるために全体的に暗くなるため、表示が見易くなるように、図５（Ｂ）に点線で示す明るさの平均が図５（Ｂ´）に示す点線まで引き上げられる。このため、操作者には、表示が若干明るく補正されて図５（Ｂ‘）に示すように見える。また、図２（Ｃ）に示す白い筐体では、筐体が明るく見えるために全体的に明るくなるため、表示が見易くなるように、図５（Ｃ）に点線で示す明るさの平均が図５（Ｃ´）に示す点線まで引き下げられる。このため、操作者には、表示が若干暗く補正されて図５（Ｃ‘）に示すように見える。
【００４７】
このように人間の視覚特性により無意識に補正された結果に対して、表示画面部分だけについて着目すると、本来は図６（Ａ）に示すような明るさの分布を有する図７（Ａ）に示す画像データは、図２（Ｂ）に示す黒い筐体では図６（Ｂ）に示すような分布を有する図７（Ｂ）に示す表示データのように見えてしまうこととなる。また、図２（Ｃ）に示す白い筐体では図６（Ｃ）に示すような分布を有する図７（Ｃ）に示す表示データのように見えてしまうこととなる。なお、図６（Ａ）〜（Ｃ）に示す一点鎖線は、画像データ自体の明るさの中心値を示す。
【００４８】
その結果、黒い筐体と白い筐体とで、表示画面に同じ画像データを表示しているのにも関わらず、それぞれを個別に見ると、明るさが大きく異なっているように見えることとなる。このように、白っぽい明るい色の筐体を有する表示装置では、表示画面に表示される画像が暗く感じられ、黒っぽい暗い色の筐体を有する表示装置では、表示画面に表示される画像が明るく感じられるという現象が生じる。また、筺体の彩色の白っぽさ、黒っぽさの度合いによって、表示画像が暗く見える度合い、明るく見える度合いは変化する。
【００４９】
そこで、本実施形態では、このような筐体の色による表示データの見え方の変化を抑えるために、図８（Ａ）に示すような明るさの分布を有する図９（Ａ）に示す画像データを液晶表示ユニット２に表示する際に、マイクロコントローラ５によってＥＥＰＲＯＭ８に記憶されている画像調整値を読み出し、その画像調整値に基づいて、表示変換調整回路４を制御して表示データを変換し、液晶表示ユニット２上の表示画像を調整する。もしくは、マイクロコントローラ５によってＥＥＰＲＯＭ８に記憶されている画像調整値を読み出し、その画像調整値に基づいて、Ｉ／Ｏポート９を介してバックライト１４の明るさを調整するインバータ１３を制御して、液晶表示ユニット２上の表示画像を調整する。
【００５０】
例えば、図２（Ｂ）に示すような黒い筐体では、図８（Ｂ）に示すような明るさ分布となるように表示データを補正して、図９（Ｂ）に示すように少し暗い表示画像を液晶表示ユニット２の表示画面上に表示する。また、図２（Ｃ）に示すような白い筐体では、図８（Ｃ）に示すような明るさ分布となるように表示データを補正して、図９（Ｃ）に示すように少し明るい表示画像を液晶表示ユニット２の表示画面上に表示する。図１０（Ａ）は図２（Ａ）に示す画像データであり、これを図２（Ｂ）に示す黒い筐体に表示したものが図１０（Ｂ）であり、図２（Ｃ）に示す白い筐体に表示したものが図１０（Ｃ）である。
【００５１】
これによって、人間の視覚特性による調整機能が働いても、筐体および画像データを合わせた分布は、それぞれ図８（Ｂ´）および図８（Ｃ´）に示すようになる。これらの図８（Ｂ´）および図８（Ｃ´）に一点鎖線で示す画像データの中心のばらつきは、補正をしないまま表示した場合の図５（Ｂ’）および図５（Ｃ’）に一点鎖線で示す画像データの中心のばらつきよりも抑えることが可能となり、表示画面に表示される画像の見え方を同じようにすることが可能となる。
【００５２】
次に、筐体２ｂの色が表示画面２ａに表示される画像の色合いに与える影響について説明する。
【００５３】
図１１（Ａ）は、コンピュータ表示処理装置１の表示画面２ａに表示される画像データである。ここでは、光の３原色である赤（Ｒ）、緑（Ｇ）、青（Ｂ）が均等な灰色を、図１１（Ｂ）に示すような青い筐体に表示する場合と、図１１（Ｃ）に示すような赤い筐体に表示する場合とを考える。図１１（Ｂ）に示す青い筐体と、図１１（Ｃ）に示す赤い筐体とは、同じ大きさとする。
【００５４】
図１２は、図１１に示す画像データおよび筐体それぞれの色を光の３原色に分解し、ＲＧＢそれぞれの色成分を横軸に示し、それぞれの色成分の強さを縦軸に示すグラフである。色成分の強さは、最も濃い表示を１５、最も薄い表示を０として示している。図１２（Ａ）は図１１（Ａ）に示す画像データの色成分の強さの分布を示すグラフであり、ＲＧＢの成分が均等であることを示している。また、図１２（Ｂ）は図１１（Ｂ）に示す青い筐体の色成分の強さの分布を示すグラフであり、図１２（Ｃ）は図１１（Ｃ）に示す赤い筐体の色成分の強さの分布を示すグラフである。
【００５５】
上述したように、筐体は自ら発光するものではないため、上記図４３に示すように、操作者の視点３０を想定した標準的なコンピュータ表示処理装置１の使用環境を設定し、想定される周囲明るさにおいて、操作者の視点３０から輝度測定器を用いて筐体各部の表面輝度分布を測定することによって、図１２（Ｂ）および図１２（Ｃ）に示すグラフを得ている。このような方法を用いることにより、筐体の色によるＲＧＢ成分の違い、表面処理による色成分の強さの違いを含めて一括して測定することが可能となり、筐体の色が表示画像の色合いに与える影響以外に、表面処理が与える影響を加味して、操作者の眼から見た筺体の見え方を把握することが可能となる。
【００５６】
図１３は、図１１（Ａ）に示す画像データを図１１（Ｂ）および図１１（Ｃ）に示す筐体に取り付けられた表示画面に表示した状態を示す図である。図１３（Ａ）は図１１（Ａ）に示す画像データであり、これを図１１（Ｂ）に示す青い筐体に表示したものが図１３（Ｂ）であり、図１１（Ｃ）に示す赤い筐体に表示したものが図１３（Ｃ）である。
【００５７】
図１４（Ａ）〜（Ｃ）は、それぞれ、図１３（Ａ）〜（Ｃ）に示す画像データおよび筐体それぞれの色を光の３原色に分解し、ＲＧＢそれぞれの色成分を横軸に示し、それぞれの色成分の強さを縦軸に示すグラフである。図１４（Ｂ）は、図１２（Ａ）と（Ｂ）との合成であり、図１１（Ｂ）に示す青い筐体に図１１（Ａ）に示す画像データを表示したときの状態を示す。また、図１４（Ｃ）は、図１２（Ａ）と（Ｃ）との合成であり、図１１（Ｃ）に示す赤い筐体に図１１（Ａ）に示す画像データを表示したときの状態を示す。
【００５８】
これらを実際に表示すると、人間の視覚特性として無意識に明るさ、色合い等をある程度調整する働きがあることから、一定の見え方を保とうとして、図１１（Ｂ）に示す青い筐体では表示の青味を抑える方向、図１１（Ｃ）に示す赤い筐体では表示の赤味を抑える方向に、無意識に表示が補正されて見える。
【００５９】
例えば、図１１（Ｂ）に示す青い筐体では、筐体が青く見えることにより全体的に表示が青味がかって見えるため、表示が見易くなるように、図１４（Ｂ）に示す色成分の強さの分布が図１４（Ｂ´）に示す色成分の強さの分布に補正される。このため、操作者には、表示が補正されて図１４（Ｂ‘）に示すように見える。また、図１１（Ｃ）に示す赤い筐体では、筐体が赤く見えることにより全体的に表示が赤味がかって見えるため、表示が見易くなるように、図１４（Ｃ）に示す色成分の強さの分布が図１４（Ｃ´）に示す色成分の強さの分布に補正される。このため、操作者には、表示が補正されて図１４（Ｃ‘）に示すように見える。
【００６０】
このように人間の視覚特性により無意識に補正された結果に対して、表示画面部分だけについて着目すると、本来は図１５（Ａ）に示すような色成分の強さの分布を有する図１６（Ａ）に示す画像データは、図１１（Ｂ）に示す青い筐体では図１５（Ｂ）に示すような分布を有する図１６（Ｂ）に示す表示データのように青成分が抑えられて見えてしまうこととなる。また、図１１（Ｃ）に示す白い筐体では図１５（Ｃ）に示すような分布を有する図１６（Ｃ）に示す表示データのように赤成分が抑えられて見えてしまうこととなる。
【００６１】
その結果、青い筐体と赤い筐体とで、表示画面に同じ画像データを表示しているのにも関わらず、それぞれを個別に見ると、色合いがいくらか異なっているように見えることとなる。このように、青っぽい色の筐体を有する表示装置では、表示画面に表示される画像の青味が抑えられ、赤っぽい色の筐体を有する表示装置では、表示画面に表示される画像の赤味が抑えられるという現象が生じる。また、筺体の色によって、表示画像の青味が抑えられる度合い、赤味が抑えられる度合いは変化する。
【００６２】
そこで、本実施形態では、このような筐体の色による表示データの見え方の変化を抑えるために、図１７（Ａ）に示すような色成分の強さの分布を有する図１８（Ａ）に示す画像データを液晶表示ユニット２に表示する際に、マイクロコントローラ５によってＥＥＰＲＯＭ８に記憶されている画像調整値を読み出し、その画像調整値に基づいて、表示変換調整回路４を制御して表示データを変換し、液晶表示ユニット２上の表示画像を調整する。もしくは、マイクロコントローラ５によってＥＥＰＲＯＭ８に記憶されている画像調整値を読み出し、その画像調整値に基づいて、Ｉ／Ｏポート９を介してバックライト１４の色成分ＲＧＢそれぞれの発光強度を制御して、液晶表示ユニット２上の表示画像を調整する。この場合には、例えば図１９に示すように、ＲＧＢのそれぞれを発光するＬＥＤ１４Ｒ、１４Ｇおよび１４Ｂと、それぞれのＬＥＤを制御する制御部１５Ｒ、１５Ｇおよび１５Ｂとを有するバックライトを用いることによって、Ｉ／Ｏポート９を介して３つのＬＥＤ１４Ｒ、１４Ｇおよび１４Ｂそれぞれの発光強度を調整することができる。
【００６３】
例えば、図１１（Ｂ）に示すような青い筐体では、図１７（Ｂ）に示すような分布が得られるように青味を強めるように表示データを補正して、図１８（Ｂ）に示すような表示画像を液晶表示ユニット２の表示画面上に表示する。また、図１１（Ｃ）に示すような赤い筐体では、図１７（Ｃ）に示すような分布が得られるように赤みを強めるように表示データを補正して、図１８（Ｃ）に示すような表示画像を液晶表示ユニット２の表示画面上に表示する。図２０（Ａ）は図１１（Ａ）に示す画像データであり、これを図１１（Ｂ）に示す青い筐体に表示したものが図２０（Ｂ）であり、図１１（Ｃ）に示す赤い筐体に表示したものが図２０（Ｃ）である。
【００６４】
これによって、人間の視覚特性による調整機能が働いても、筐体および画像データを合わせた分布は、それぞれ図１７（Ｂ´）および図１７（Ｃ´）に示すようになり、彩色が異なる筺体を有する表示装置において、表示画面に表示される画像の見え方を同じようにすることが可能となる。
【００６５】
さらに、同一の彩色および表面処理が施された筐体であっても、表示画面の面積と、表示画面の周囲に筐体が見えている面積（露出面積）との比率に違いがある場合には、同様に、表示画像の見え方に変化が生じることがある。そこで、以下では、表示画面２ａの面積と、筐体２ｂの露出面積との比率が、表示画面２ａに表示される画像の見え方に与える影響について説明する。ここでは、筐体２ｂの露出面積の比率が、表示画面２ａに表示される画像の明るさに与える影響について説明する。
【００６６】
図２１（Ａ）は、コンピュータ表示処理装置１の表示画面２ａに表示される画像データである。ここでは、図２１（Ｂ）に示すような露出面積が小さい筐体に表示する場合と、図２１（Ｃ）に示すような露出面積が大きい筐体に表示する場合とを考える。図２１（Ｂ）に示す露出面積が小さい筐体と、図２１（Ｃ）に示す露出面積が大きい筐体とは、彩色および表面処理が同じであり、黒い彩色および同一表面処理が施されているものとする。
【００６７】
図２２は、図２１に示す画像データおよび筐体それぞれの明るさを縦軸に示し、それぞれの明るさの部分の面積を横軸に示すグラフである。明るさは、最も暗い表示を０、最も明るい表示を１５として示している。図２２（Ａ）は図２１（Ａ）に示す画像データの明るさの分布を示すグラフであり、中間程度の明るさを有する部分の面積が最も多いことを示している。また、図２２（Ｂ）は図２１（Ｂ）に示す露出面積が小さい筐体の明るさの分布を示すグラフであり、図２２（Ｃ）は図２１（Ｃ）に示す露出面積が大きい筐体の明るさの分布を示すグラフである。
【００６８】
図２３は、図２１（Ａ）に示す画像データを図２１（Ｂ）および図２１（Ｃ）に示す筐体に取り付けられた表示画面に表示した状態を示す図である。図２３（Ａ）は図２１（Ａ）に示す画像データであり、これを図２１（Ｂ）に示す露出面積が小さい筐体に表示したものが図２３（Ｂ）であり、図２１（Ｃ）に示す露出面積が大きい筐体に表示したものが図２３（Ｃ）である。
【００６９】
図２４（Ａ）〜（Ｃ）は、それぞれ、図２３（Ａ）〜（Ｃ）に示す画像データおよび筐体それぞれの明るさを縦軸に示し、それぞれの明るさの部分の面積を横軸に示すグラフである。なお、図２４（Ａ）〜（Ｃ）、（Ｂ´）および（Ｃ´）において、１点鎖線は画像データ単体の明るさの中心値を示し、点線は画像データの表示および筐体の見え方を合わせた明るさの平均値を示す。図２４（Ｂ）は、図２２（Ａ）と（Ｂ）との合成であり、図２１（Ｂ）に示す露出面積が小さい筐体に図２１（Ａ）に示す画像データを表示したときの状態を示す。また、図２４（Ｃ）は、図２２（Ａ）と（Ｃ）との合成であり、図２１（Ｃ）に示す露出面積が大きい筐体に図２１（Ａ）に示す画像データを表示したときの状態を示す。
【００７０】
これらを実際に表示すると、人間の視覚特性として無意識に明るさ、色合い等をある程度調整する働きがあることから、一定の見え方を保とうとして、図２１（Ｂ）に示す露出面積が小さい筐体でも、図２１（Ｃ）に示す露出面積が大きい筐体でも、平均的な明るさが同じになるように、無意識に表示が補正されて見える。
【００７１】
例えば、図２１（Ｂ）に示す露出面積が小さい筐体でも、図２１（Ｃ）に示す露出面積が大きい筺体でも、筐体が暗く見えるために全体的に暗くなるため、表示が見易くなるように、図２４（Ｂ）および（Ｃ）に点線で示す明るさの平均が図２４（Ｂ´）および（Ｃ´）に示す点線まで引き上げられる。これによって、操作者には、表示が明るく補正されて図２４（Ｂ’）および（Ｃ‘）に示すように見える。ここで、図２１（Ｃ）に示す露出面積が大きい筺体は、図２１（Ｂ）に示す露出面積が小さい筐体に比べて、筺体の見え方が大きいために全体的に暗く見えるため、明るさの平均が図２４（Ｂ’）に示す点線よりも上の図２４（Ｃ´）に示す点線まで引き上げられ、さらに明るく補正される。
【００７２】
このように人間の視覚特性により無意識に補正された結果に対して、表示画面部分だけについて着目すると、本来は図２５（Ａ）に示すような明るさの分布を有する図２６（Ａ）に示す画像データは、図２１（Ｂ）に示す露出面積が小さい筐体では、明るく補正されて、図２５（Ｂ）に示すような分布を有する図２６（Ｂ）に示す表示データのように見えてしまうこととなる。また、図２１（Ｃ）に示す露出面積が大きい筐体では、さらに明るく補正されて、図２５（Ｃ）に示すような分布を有する図２６（Ｃ）に示す表示データのように見えてしまうこととなる。なお、図２５（Ａ）〜（Ｃ）に示す一点鎖線は、画像データ自体の明るさの中心値を示す。
【００７３】
その結果、露出面積が小さい筐体と大きい筐体とで、表示画面に同じ画像データを表示しているのにも関わらず、それぞれを個別に見ると、明るさが大きく異なっているように見えることとなる。このように、黒っぽい暗い色の筐体を有する表示装置では、表示画面に表示される画像が明るく感じられ、筺体の露出面積が大きいほど、表示画像がさらに明るく感じられる現象が生じる。また、筺体の露出面積と表示画面の面積との比率によって、表示画像が相対的に明るく見える度合いは変化し、露出面積が大きい方が表示画像が明るく見える。一方、筺体の彩色が白い場合には、表示画面が相対的に暗く見えることとなり、筺体の露出面積と表示画面の面積との比率によって、表示画像が相対的に暗く見える度合いは変化し、露出面積が大きい方が表示画像が暗く見える。
【００７４】
そこで、本実施形態では、このような筐体の露出面積による表示データの見え方の変化を抑えるために、図２７（Ａ）に示すような明るさの分布を有する図２８（Ａ）に示す画像データを液晶表示ユニット２に表示する際に、マイクロコントローラ５によってＥＥＰＲＯＭ８に記憶されている画像調整値を読み出し、その画像調整値に基づいて、表示変換調整回路４を制御して表示データを変換し、液晶表示ユニット２上の表示画像を調整する。もしくは、マイクロコントローラ５によってＥＥＰＲＯＭ８に記憶されている画像調整値を読み出し、その画像調整値に基づいて、Ｉ／Ｏポート９を介してバックライト１４の明るさを調整するインバータ１３を制御して、液晶表示ユニット２上の表示画像を調整する。
【００７５】
例えば、図２１（Ｂ）に示すような露出面積が小さい筐体では、図２７（Ｂ）に示すような明るさ分布が得られるように表示データを少し暗く補正して、図２８（Ｂ）に示すような表示画像を液晶表示ユニット２の表示画面上に表示する。また、図２１（Ｃ）に示すような露出面積が大きい筐体では、図２７（Ｃ）に示すような明るさ分布が得られるように表示データをさらに暗く補正して、図２８（Ｃ）に示すような表示画像を液晶表示ユニット２の表示画面上に表示する。図２９（Ａ）は図２１（Ａ）に示す画像データであり、これを図２１（Ｂ）に示す露出面積が小さい筐体に表示したものが図２９（Ｂ）であり、図２１（Ｃ）に示す露出面積が大きい筐体に表示したものが図２９（Ｃ）である。
【００７６】
これによって、人間の視覚特性による調整機能が働いても、筐体および画像データを合わせた分布は、それぞれ図２７（Ｂ´）および図２７（Ｃ´）に示すようになる。これらの図２７（Ｂ´）および図２７（Ｃ´）に一点鎖線で示す画像データの中心の格差は、補正をしないまま表示した場合の図２４（Ｂ’）および図２４（Ｃ’）に一点鎖線で示す画像データの中心の格差よりも小さくすることが可能となり、表示画面に表示される画像の見え方を同じようにすることが可能となる。
【００７７】
さらに、表示画面の周囲に見えている筐体の面積（露出面積）と表示画面の面積との比率によって、表示画面に表示される画像の色合いが変化するが、この場合の表示データの補正についても、上記と同様に行うことができるため、説明を省略する。
【００７８】
本実施形態のコンピュータ表示処理装置１では、このような筐体の彩色および表面加工処理、表示画面面積と筺体の露出面積との比率等の筺体の種類に応じて、輝度、濃度、色合い、コントラスト等の画像を調整するための画像調整値をＲＯＭ６またはＥＥＰＲＯＭ８に記憶させておき、その画像調整値に基づいて、液晶表示ユニット２上の表示画像を調整することによって、表示画面の見え方が変動することを抑制することができる。
【００７９】
図３０および図　３１は、それぞれ、ＲＯＭ６またはＥＥＰＲＯＭ８に記憶されている筺体の種類毎の補正用テーブルの一例を示す図である。ここでは、輝度を補正するための基本補正設定値が補正用テーブルとして記憶されている。図３０（Ａ）に示す筺体の表面加工種類毎の輝度補正値は、その値またはα倍の値が標準設定値に加えられて標準設定値として再設定される。また、図３０（Ｂ）に示す輝度初期値は、その値が標準設定値として再設定される。さらに、図３１に示す筺体の表面加工種類毎の色要素補正値は、各色要素の輝度値に対してその値のα倍の値が標準設定値に加えられて標準設定値として再設定される。
【００８０】
なお、αは、輝度設定値の段階の多さと、補正用テーブルの容量及び補正の細かさによって決定される値である。図３０（Ａ）の場合にはαを１としており、初期値を５０としたときの補正値を加味した値は、図３０（Ｂ）と同じ値となる。さらに細かく補正する場合には、αを０．１とする場合もある。
【００８１】
また、図３０（Ｂ）の初期値について、輝度設定値がＫＥＹ操作、周囲の明るさ等によって、補正なしの初期値５０から例えば６０等のように設定変更されている場合には、６０−５０＝＋１０が図３０（Ｂ）の値に加算される。例えば、図３０（Ｂ）の青つや消しの場合には、４４＋１０＝５４が輝度設定値として用いられる。
【００８２】
さらに、表示画面の面積と、筺体が表示画面の周囲に露出している面積との比率が異なる場合には、それらの面積比率を加味した補正値テーブルを用意することができる。
【００８３】
操作者は、ＫＥＹ１０などを操作して筐体種類を設定することによって、筐体の種類毎にＥＥＰＲＯＭ８、ＲＯＭ６等に格納された補正用テーブルを用いて画像表示を補正することができる。よって、筐体の見え方の違いが表示画像に及ぼす影響を小さくして、見え方が異なる筐体であっても、表示画像が同様に見えるように調整することを可能となる。
【００８４】
図３２は、本実施形態のコンピュータ表示処理装置１において、表示画面上で筐体の種類を選択する際の画面表示例を示す平面図である。
【００８５】
ここでは、コンピュータ表示処理装置１の表示画面上に表示された筐体種類選択メニューを用いて、ＫＥＹ１０によって筐体種類を選択し、表示データの補正度合いを設定することができる。なお、本実施形態のように、コンピュータから供給される画像データを表示するコンピュータ表示処理装置１では、コンピュータとコンピュータ表示処理装置１とをＵＳＢ（ユニバーサルシリアルバス）やその他のバス、インターフェース等によって接続し、コンピュータからコンピュータ表示処理装置１の操作を行うことも可能である。
【００８６】
以下に、筐体種類をコンピュータ表示処理装置１のＫＥＹ１０を用いて選択し、選択された筺体種類に応じて画像データを調整する処理について、図３３のフローチャートを用いて説明する。
【００８７】
まず、ステップＳ１００では、操作者によってＫＥＹ１０が操作されると、ＫＥＹ１０をＩ／Ｏポート９にて監視していたマイクロコントローラ５によって、ＲＯＭ６に格納された筐体設定処理を行うプログラムが実行され、筐体設定機能が呼び出される。
【００８８】
次に、ステップＳ１０１では、マイクロコントローラ５によって、内部バス１２を介してＲＯＭ６などに格納された文字データなどが読み出され、これらの情報に基づいて表示変換調整回路４が制御されて、液晶表示ユニット２の画面上に図３２に示すようなメニュー画面が表示される。
【００８９】
次に、ステップＳ１０２では、操作者によってＫＥＹ１０が操作されてメニュー画面に表示された中から筺体種類が選択されると、マイクロコントローラ５によってＫＥＹ１０の操作がＩ／Ｏポート９を介して検出される。そして、ステップＳ１０３において、選択された筐体種類に該当するＲＯＭ６またはＥＥＰＲＯＭ８に格納された補正値または初期値が内部バス１２を介してマイクロコントローラ５に読み出され、ステップＳ１０４で基本補正設定値としてＥＥＰＲＯＭ８に格納される。
【００９０】
次に、ステップＳ１０５では、マイクロコントローラ５によって、ＥＥＰＲＯＭ８に格納された基本補正設定値に基づいて、表示変換調整回路４またはインバータ１３が制御されて、設定値を反映するように画像表示が再調整される。そして、ステップＳ１０６では、画像が液晶表示ユニット２の表示画面に再表示されて処理が終了する。
【００９１】
ここで、ＲＯＭ６またはＥＥＰＲＯＭ８に、図３０（Ａ）に示すような筐体種類毎の補正値が補正用テーブルとして格納されている場合には、標準設定初期値Ｉｏに補正値のα倍の値を加えたものが標準設定初期値として再設定される。なお、Ｉｏおよびαは、筺体設定プログラムに予め設定されている。また、図３０（Ｂ）に示すような筺体種類毎の初期値が補正用テーブルとして格納されている場合には、その値が標準設定初期値として再設定される。
【００９２】
さらに、操作者がＫＥＹ１０などを操作して表示画面の設定を変化させた場合、および周囲光センサ１１で検出された周囲の明るさ、色合いの情報等によりマイクロコントローラ５が表示画面の輝度、色合いを変更する場合等には、筐体の種類毎にＥＥＰＲＯＭ８またはＲＯＭ６に格納された筐体種類補正用テーブルを用いてその都度画像データを調整することによって、上述したような筐体の見え方による違いが表示画像に及ぼす影響を小さくして、見え方の違う筐体であっても、表示画像が同様に見えるように調整することが可能となる。
【００９３】
以下に、コンピュータ表示処理装置１のＫＥＹ１０が操作されて表示画面の設定が変更された場合、周囲光センサ１１により周囲光の状態変化が検出されて表示画面の設定変更が生じた場合等に、筐体種類に応じて表示画面の輝度、色合いを調整する処理について、図３４のフローチャートを用いて説明する。
【００９４】
まず、ステップＳ２００では、マイクロコントローラ５によってＩ／Ｏポート９を介してＫＥＹ１０による操作および周囲光センサ１１による周囲光の検出結果が調べられる。
【００９５】
次に、ステップＳ２０１では、ＫＥＹ１０により表示画面の設定を変更する操作がなされたか否かが調べられ、表示画面の設定変更操作がなされている場合には、ステップＳ２０２へ進んでＥＥＰＲＯＭ８に格納されている表示画面の設定が変更され、ステップＳ２０５へ進む。
【００９６】
一方、ステップＳ２０１で表示画面の設定変更操作がなされていない場合には、ステップＳ２０３へ進んで周囲光センサ１１による検出結果からコンピュータ表示処理装置１の周囲光の状態が変化したか否かが調べられる。そして、周囲光の状態が変化している場合には、ステップＳ２０４へ進んでＥＥＰＲＯＭ８に格納されている表示画面の設定が変更され、ステップＳ２０５へ進む。また、ステップＳ２０３で周囲光の状態に変化がない場合には、表示画面設定の変更は必要ないので処理を終了する。
【００９７】
ステップＳ２０５では、ＥＥＰＲＯＭ８に設定された筐体種類が参照されて、筐体種類が変更されているか否かが検出され、筺体種類変更に伴って補正を行う必要が無い場合には、ステップＳ２０８へ進む。一方、筐体種類の変更に伴って明るさ、色合い等の補正を行う必要がある場合には、ステップＳ２０６へ進む。そして、設定された筺体種類に該当するＲＯＭ６またはＥＥＰＲＯＭ８に格納された補正値または初期値（補正値が±０の場合には、補正が不要であるため、初期値が用いられる）が内部バス１２を介してマイクロコントローラ５に読み出されて、ステップＳ２０７において基本補正設定値としてＥＥＰＲＯＭ８に格納され、ステップＳ２０８へ進む。
【００９８】
次に、ステップＳ２０８では、マイクロコントローラ５によって、ＥＥＰＲＯＭ８に格納された基本補正設定値に基づいて、表示変換調整回路４またはインバータ１３が制御されて、設定値を反映するように画像表示が再調整される。そして、ステップＳ２０９では、画像が液晶表示ユニット２の表示画面に再表示されて処理が終了する。
【００９９】
ここで、ＲＯＭ６またはＥＥＰＲＯＭ８に、図３０（Ａ）に示すような筐体種類毎の補正値が補正用テーブルとして格納されている場合には、ステップＳ２０２またはステップＳ２０４で設定された標準設定値に補正値のα倍の値を加えたものが基本補正設定値として再設定される。また、図３０（Ｂ）の補正用テーブルは、標準設定初期値を５０とした場合の例を示しているため、周囲光または入力操作による調整によって例えば＋１０だけ調整された場合に、例えば筺体の種類が黒つや消し（輝度初期値４０）では、筐体種類毎の補正後は４０＋１０＝５０が基本補正設定値として再設定される。
【０１００】
このようにして、筺体の彩色および表面加工、表示領域の面積と表示領域周囲に筺体が露出している部分の面積との比率等の筺体の種類に応じて、輝度、濃度、色合い、コントラスト等の画像調整値をＲＯＭ６またはＥＥＰＲＯＭ８に記憶させておき、その画像調整値に基づいて、液晶表示ユニット２上の表示画像を調整することによって、表示画面の見え方が変動することを抑制することができる。
【０１０１】
例えば、上記図３０（Ａ）に示すように、筐体種類毎に設定された表示輝度の補正値に基づいて表示の明るさを補正する場合には、図３５に示すように、筐体種類毎の補正値に基づいて、表示輝度設定値と表示の明るさ（輝度）との関係が補正される。
【０１０２】
図３５（Ａ）〜（Ｄ）は、それぞれ、表示輝度設定値と表示の明るさとの関係の一例を示すグラフである。
【０１０３】
ここで、図３５（Ａ）〜（Ｄ）に実線で示すカーブが、基本補正設定値が０である場合の表示輝度設定値（レベル０〜１０）と表示の明るさとの関係を示しているものとすると、色が黒っぽい筺体などでは筐体が暗く見え、表示画面の輝度を下げる方が望ましいため、図３５（Ａ）〜（Ｄ）に一点鎖線で示すカーブのように表示輝度設定値と表示の明るさとの関係が補正される。一方、色が白っぽい筐体などでは筐体が明るく見え、表示画面の輝度を上げた方が望ましいため、図３５（Ａ）〜（Ｄ）に点線で示すカーブのように表示輝度設定値と表示の明るさとの関係が補正される。また、図３０（Ａ）に示す補正値の絶対値が大きいほど、実線と一点鎖線との差、および実線と点線との差は大きくなり、補正値の絶対値が小さいほど、実線と一点鎖線との差、および実線と点線との差は小さくなる。
【０１０４】
なお、図３５（Ａ）は、全体を平行移動させて全範囲で輝度を補正する方法である。この場合には、全範囲で表示輝度設定値に対する明るさ（輝度値）に、図３０（Ａ）に示す補正値のα倍が加えられることになる。また、図３５（Ｂ）は、最も明るい表示輝度設定値（レベル１０）の輝度値（明るさ）は固定したまま、表示輝度設定が暗い部分を主として補正する方法である。この場合には、暗い部分の表示輝度設定値に対する明るさ（輝度値）に、図３０（Ａ）に示す補正値のα倍が加えられることになる。また、図３５（Ｃ）は、図３５（Ｂ）と逆に、最も暗い表示輝度設定値（レベル０）の輝度値（明るさ）は固定したまま、表示輝度設定が明るい部分を主として補正する方法である。この場合には、明るい部分の表示輝度設定値に対する明るさ（輝度値）に、補正値のα倍が加えられることになる。図３５（Ｄ）は、最も明るい表示輝度設定値（レベル１０）および最も暗い表示輝度設定値（レベル０）の輝度値（明るさ）は固定したまま、中間部を補正する方法である。この場合には、中間部分の表示輝度設定値に対する明るさ（輝度値）に、図３０（Ａ）に示す補正値のα倍が加えられることになる。表示輝度設定レベルと表示の明るさとの関係を補正するためには、このような方法が考えられ、望ましい方法を選択して用いることができる。例えば、液晶表示装置では、バックライトを暗くし過ぎた場合には輝度安定性が低下し、また、明るくし過ぎた場合には寿命が短かくなったり、消費電力や発熱が大きくなるため、製品によって暗さの限界や明るさの限界がある。このような限界の組み合わせによって、最適な補正曲線を選択することができる。
【０１０５】
図３６（Ａ）は、図３５に実線で示す標準輝度設定値と輝度値（明るさ）との関係の一例であり、図３６（Ｂ）は、黒っぽい筐体（例えば図３０（Ａ）に示す黒つや消し）に取り付けられた表示画面に対して図３５（Ｂ）に示す方法で補正を行った場合の一点鎖線で示す標準輝度設定値と輝度値（明るさ）との関係の一例である。ここでは、最も明るい表示輝度設定値（レベル１０）の輝度値（１００）は固定したまま、表示輝度設定が暗い部分が補正され、最も暗い表示輝度設定値（レベル０）の輝度値は「３０」から「−１０」だけ補正されて「２０」となっている。
【０１０６】
さらに、周囲光センサ１１にて検出された周囲の明るさにより表示画面の輝度（明るさ）を調整する際に、上記図３０（Ａ）に示すように、筐体種類毎に設定された表示輝度の補正値に基づいて表示の明るさを補正する場合には、図３７に示すように、筐体種類毎の補正値に基づいて、表示輝度と周囲の明るさとの関係が補正される。
【０１０７】
図３７（Ａ）〜（Ｄ）は、それぞれ、表示輝度と周囲の明るさとの関係の一例を示すグラフである。ここでは、周囲が明るくなるに従って表示が明るくなるように補正されている。
【０１０８】
ここで、図３７（Ａ）〜（Ｄ）に実線で示すカーブが、基本補正設定値が０である場合の表示輝度と周囲の明るさとの関係を示しているものとすると、色が黒っぽい筺体などでは筐体が暗く見え、表示画面の輝度を下げる方が望ましいため、図３７（Ａ）〜（Ｄ）に一点鎖線で示すカーブのように表示輝度と周囲の明るさとの関係が補正される。一方、色が白っぽい筐体などでは筐体が明るく見え、表示画面の輝度を上げた方が望ましいため、図３７（Ａ）〜（Ｄ）に点線で示すカーブのように表示輝度と周囲の明るさとの関係が補正される。また、図３０（Ａ）に示す補正値の絶対値が大きいほど、実線と一点鎖線との差、および実線と点線との差は大きくなり、補正値の絶対値が小さいほど、実線と一点鎖線との差、および実線と点線との差は小さくなる。
【０１０９】
なお、図３７（Ａ）は、全体を平行移動させて全範囲で輝度を補正する方法である。この場合には、全範囲で、表示輝度に図３０（Ａ）に示す補正値のα倍が加えられることになる。また、図３７（Ｂ）は、最も明るい表示輝度は固定したまま、表示輝度が暗い部分を主として補正する方法である。この場合には、暗い部分の表示輝度に、図３０（Ａ）に示す補正値のα倍が加えられることになる。また、図３７（Ｃ）は、図３７（Ｂ）と逆に、最も暗い表示輝度は固定したまま、表示輝度が明るい部分を主として補正する方法である。この場合には、明るい部分の表示輝度に、補正値のα倍が加えられることになる。図３７（Ｄ）は、最も明るい表示輝度および最も暗い表示輝度は固定したまま、中間部を補正する方法である。この場合には、中間部分の表示輝度に、図３０（Ａ）に示す補正値のα倍が加えられることになる。表示輝度と周囲の明るさとの関係を補正するためには、このような方法が考えられ、望ましい方法を選択して用いることができる。
【０１１０】
また、例えば、上記図３１に示すように、筐体種類毎に設定された表示色合いの補正値に基づいて表示の色合いを補正する場合には、図３８に示すように、筐体種類毎の補正値に基づいて、光の色を表す色温度設定値と表示の色合いとの関係が補正される。
【０１１１】
図３８（Ａ）〜（Ｄ）は、それぞれ、色温度設定値と表示の色合いとの関係の一例を示すグラフである。図３８では、一例として、レベル０が赤っぽい表示（ＲＧＢ輝度値）＝（１００、９０、９０）、レベル１０が青っぽい表示（ＲＧＢ輝度値）＝（９０、９０、１００）として表されている。
【０１１２】
ここで、図３８（Ａ）〜（Ｄ）に実線で示すカーブが、基本補正設定値が０である場合の色温度設定値（レベル０〜１０）と表示の色合い（赤っぽい表示〜青っぽい表示）との関係を示しているものとすると、色が青っぽい筺体などでは筐体が青く見え、表示画面の青色成分を強くする方が望ましいため、赤色成分および緑色成分について、図３７（Ａ）〜（Ｄ）に一点鎖線で示すカーブのように色温度設定値と表示の色合いとの関係を補正するか、または、青色成分について、図３７（Ａ）〜（Ｄ）に点線で示すカーブのように色温度設定値と表示の色合いとの関係を補正する。
【０１１３】
なお、図３１および図３９（Ｂ）の例では、赤色成分と緑色成分は補正せず、青成分を補正している。色温度が低くなると赤く表示され、高くなると青く表示される。色覚でいうと、緑成分は青成分と赤成分との中間にあるため、緑成分は青成分や赤成分よりも表示に与える影響が少ないことから、ここでは、緑成分の補正値を０としている。ただし、補色関係を考えると、緑成分は赤紫の領域に影響を与えるため、緑成分を補正することも考えられる。その場合、赤紫の光は、可視光の波長が低い領域（青成分の短波長側）と、可視光の波長が高い領域（赤成分の長波長側）との合成色であるため、青成分と赤成分とについても補正することになる。ここでは、処理を簡素化するために、青成分および赤成分の補正と、緑成分の補正とのいづれかを用いている。緑成分のみを調整した方が処理がより簡単となるが、青緑っぽい色の補正、黄色っぽい色の補正など、緑成分だけでは十分補正できないことがあるため、このような場合には、赤成分の補正と青成分の補正とを組み合わせた方がより補正精度を良好にすることができる。
【０１１４】
一方、青色成分については、図３８（Ａ）〜（Ｄ）に点線で示すカーブのように色温度設定値と表示の色合いとの関係が補正される。また、図３１に示す補正値が大きいほど、実線と一点鎖線との差、および実線と点線との差は大きくなり、補正値が小さいほど、実線と一点鎖線との差、および実線と点線との差は小さくなる。
【０１１５】
なお、図３８（Ａ）は、全体を平行移動させて全範囲で色合いを補正する方法である。この場合には、全範囲で色温度設定値に対する各色成分の輝度値に、図３１に示す補正値のα倍が加えられることになる。また、図３８（Ｂ）は、最も高い色温度設定値（レベル１０）の色合いは固定したまま、色温度設定が低い部分を主として補正する方法である。この場合には、低い部分の色温度設定値に対する各色成分の輝度値に、図３１に示す補正値のα倍が加えられることになる。また、図３８（Ｃ）は、図３８（Ｂ）と逆に、最も低い色温度設定値（レベル０）の色合いは固定したまま、色温度設定が高い部分を主として補正する方法である。この場合には、高い部分の色温度設定値に対する各色成分の輝度値に、図３１に示す補正値のα倍が加えられることになる。図３８（Ｄ）は、最も高い色温度設定値（レベル１０）および最も低い色温度設定値（レベル０）の色合いは固定したまま、中間部を補正する方法である。この場合には、中間部分の色温度設定値に対する各色成分の輝度値に、図３１に示す補正値のα倍が加えられることになる。色温度設定レベルと表示の色合いとの関係を補正するためには、このような方法が考えられ、望ましい方法を選択して用いることができる。
【０１１６】
図３９（Ａ）は、図３８に実線で示す標準色温度設定値と各色成分の輝度値との関係の一例であり、図３９（Ｂ）は、青っぽい筐体（例えば図３１に示す青つや消し）に取り付けられた表示画面に対して図３８（Ａ）に示す方法で補正を行った場合の一点鎖線で示す標準色温度設定値と各色成分の輝度値との関係の一例である。ここでは、全範囲で色合いが補正されており、青色成分の輝度値が「＋２」ずつ補正され、赤色成分および緑色成分では輝度値は補正されていない。なお、色温度を高くして青っぽい表示にするために、青色成分に対して相対的に緑色成分および赤色成分を低くしてもよいが、青補正値から変換して赤色成分および緑色成分の補正値を得る必要があるので、変換方法が複雑になる。よって、上述したように、青色成分を補正した方がより簡単に所望の表示を得ることができる。
【０１１７】
さらに、周囲光センサ１１にて検出された周囲の明るさにより表示画面の色合いを調整する際に、上記図３１に示すように、筐体種類毎に設定された表示色合いの補正値に基づいて表示の色合いを補正する場合には、図４０に示すように、筐体種類毎の補正値に基づいて、各色成分の輝度（色輝度）と周囲の明るさとの関係が補正される。
【０１１８】
図４０（Ａ）〜（Ｄ）は、それぞれ、色輝度と周囲の明るさとの関係の一例を示すグラフである。ここでは、周囲が明るくなるに従って表示が明るくなるように補正されている。
【０１１９】
ここで、図４０（Ａ）〜（Ｄ）に実線で示すカーブが、基本補正設定値が０である場合の色輝度と周囲の明るさとの関係を示しているものとすると、色が青っぽい筺体などでは筐体が青く見える場合には、表示画面の青色成分が弱く見えるため、表示画面の青色成分の輝度を図４０（Ａ）〜（Ｄ）に点線で示すカーブのように相対的に高くするか、または、赤色成分および緑色成分の輝度を図４０（Ａ）〜（Ｄ）に一点鎖線で示すカーブのように相対的に低くするように、色輝度と周囲の明るさとの関係が補正される。また、図３１に示す補正値が大きいほど、実線と一点鎖線との差、および実線と点線との差は大きくなり、補正値が小さいほど、実線と一点鎖線との差、および実線と点線との差は小さくなる。
【０１２０】
なお、図４０（Ａ）は、全体を平行移動させて全範囲で輝度を補正する方法である。この場合には、全範囲で、色輝度に図３１に示す補正値のα倍が加えられることになる。また、図４０（Ｂ）は、最も明るい色輝度は固定したまま、色輝度が暗い部分を主として補正する方法である。この場合には、暗い部分の色輝度に、図３１に示す補正値のα倍が加えられることになる。また、図４０（Ｃ）は、図４０（Ｂ）と逆に、最も暗い色輝度は固定したまま、色輝度が明るい部分を主として補正する方法である。この場合には、明るい部分の色輝度に、補正値のα倍が加えられることになる。図４０（Ｄ）は、最も明るい色輝度および最も暗い色輝度は固定したまま、中間部を補正する方法である。この場合には、中間部分の色輝度に、図３１に示す補正値のα倍が加えられることになる。色輝度と周囲の明るさとの関係を補正するためには、このような方法が考えられ、望ましい方法を選択して用いることができる。
【０１２１】
さらに、筐体の色彩が黒、白、灰色等のように色成分が均等なものであっても、周囲光の色合いによっては、筺体に着色があるように見えることがある。このような場合に、例えば周囲光センサ１１がカラーＣＣＤなどのように色情報を検出可能なものであれば、図４１に示すように、周囲光の色合いを加味して表示画面の調整を行うことができる。
【０１２２】
例えば、筺体の色が図４１（Ａ）に示すような赤成分、緑成分、青成分が均等な灰色であっても、周囲光が図４１（Ｂ）に示すように赤に偏った光である場合には、周囲光の色成分が筐体の見え方に反映されて筺体が赤っぽく見える。このような場合には、図４１（Ｃ）に示すように、このような見かけ上の筐体の色彩を筺体の色と考えて、例えば図３１に示す筺体の種類として赤つや消しを選択することによって、周囲光の色合いを反映させて色合いを調整することが可能である。
【０１２３】
【発明の効果】
以上説明したように、本発明によれば、筐体の色、表面処理の違い等による筐体の見え方の違いが、表示画面に表示される画像（表示データ）の見え方に与える影響を小さくすることができるため、表示画面の見え方を一定に保って、視認性、使い易さなどが悪化することを防ぐことができる。また、本発明によれば、筐体の見え方が表示画面に与える影響を調整するか否かを容易に選択することが可能となるため、表示装置の用途に柔軟に対応することが可能となる。
【０１２４】
また、本発明によれば、様々な筐体の大きさと表示画面の大きさとの組み合わせに対して、筐体の見え方が表示画面に与える影響を補正する際に、その度合いを調整することができるため、様々な構成、仕様の表示装置に適用することが可能となる。
【０１２５】
また、本発明によれば、周囲の明るさの変化に伴って表示画面の明るさを調整する際に、周囲の明るさによる筐体の見え方の違いを加味することができるため、さらに表示画面の調整を容易に行うことができる。
【０１２６】
また、本発明によれば、周囲光の色合いを検出して筐体色と組み合わせることによって、周囲光の色合いが筐体の見え方および表示画面の見え方に与える影響を調整することができるため、さらに表示画面の調整を容易に行うことができる。
【図面の簡単な説明】
【図１】本発明の一実施形態であるコンピュータ表示処理装置の基本的な構成を示すブロック図である。
【図２】（Ａ）は、図１に示すコンピュータ表示処理装置において、表示画面に表示される画像データの例を示す図であり、（Ｂ）および（Ｃ）は、それぞれ、大きさが同じで色彩が黒および白の筺体の例を示す図である。
【図３】（Ａ）は、図２（Ａ）に示す画像データの明るさの分布を示すグラフであり、（Ｂ）は、図２（Ｂ）に示す黒い筐体の明るさの分布を示すグラフであり、（Ｃ）は、図２（Ｃ）に示す白い筐体の明るさの分布を示すグラフである。
【図４】（Ａ）は、図２（Ａ）に示す画像データであり、（Ｂ）は、図２（Ｂ）に示す黒い筐体に取り付けられた表示画面に図２（Ａ）に示す画像データを表示した状態を示す図であり、（Ｃ）は、図２（Ｃ）に示す白い筐体に取り付けられた表示画面に図２（Ａ）に示す画像データを表示した状態を示す図である。
【図５】（Ａ）は、図２（Ａ）に示す画像データの明るさの分布を示すグラフであり、（Ｂ）は、図２（Ｂ）に示す黒い筐体に取り付けられた表示画面に図２（Ａ）に示す画像データを表示したときの明るさの分布を示すグラフであり、（Ｃ）は、図２（Ｃ）に示す白い筐体に取り付けられた表示画面に図２（Ａ）に示す画像データを表示したときの明るさの分布を示すグラフであり、（Ｂ）’は、図２（Ｂ）に示す黒い筐体に取り付けられた表示画面に図２（Ａ）に示す画像データを表示したときに実際に見える明るさの分布を示すグラフであり、（Ｃ）’は、図２（Ｃ）に示す白い筐体に取り付けられた表示画面に図２（Ａ）に示す画像データを表示したときに実際に見える明るさの分布を示すグラフである。
【図６】（Ａ）は、図２（Ａ）に示す画像データの明るさの分布を示すグラフであり、（Ｂ）は、図５（Ｂ）’の表示画面部分に着目したグラフであり、（Ｃ）は、図５（Ｃ）’の表示画面部分に着目したグラフである。
【図７】（Ａ）は、図２（Ａ）に示す画像データであり、（Ｂ）は、図６（Ｂ）に示す明るさの分布を有する画像データであり、（Ｃ）は、図６（Ｃ）に示す明るさの分布を有する画像データである。
【図８】（Ａ）は、図２（Ａ）に示す画像データの明るさの分布を示すグラフであり、（Ｂ）は、図２（Ｂ）に示す黒い筺体の色に応じて輝度を補正した画像データの明るさの分布を示すグラフであり、（Ｃ）は、図２（Ｃ）に示す白い筺体の色に応じて輝度を補正した画像データの明るさの分布を示すグラフであり、（Ｂ）’は、図２（Ｂ）に示す黒い筐体に取り付けられた表示画面に図８（Ｂ）に示す補正後の画像データを表示したときに実際に見える明るさの分布を示すグラフであり、（Ｃ）’は、図２（Ｃ）に示す白い筐体に取り付けられた表示画面に図８（Ｃ）に示す補正後の画像データを表示したときに実際に見える明るさの分布を示すグラフである。
【図９】（Ａ）は、図２（Ａ）に示す画像データであり、（Ｂ）は、図８（Ｂ）に示す明るさの分布を有する画像データであり、（Ｃ）は、図８（Ｃ）に示す明るさの分布を有する画像データである。
【図１０】（Ａ）は、図２（Ａ）に示す画像データであり、（Ｂ）は、図２（Ｂ）に示す黒い筐体に取り付けられた表示画面に図９（Ｃ）に示す画像データを表示した状態を示す図であり、（Ｃ）は、図２（Ｃ）に示す白い筐体に取り付けられた表示画面に図９（Ｃ）に示す画像データを表示した状態を示す図である。
【図１１】（Ａ）は、図１に示すコンピュータ表示処理装置において、表示画面に表示される画像データの例を示す図であり、（Ｂ）および（Ｃ）は、それぞれ、大きさが同じで色彩が青および赤の筺体の例を示す図である。
【図１２】（Ａ）は、図１１（Ａ）に示す画像データの色成分の強さの分布を示すグラフであり、（Ｂ）は、図１１（Ｂ）に示す青い筐体の色成分の強さの分布を示すグラフであり、（Ｃ）は、図１１（Ｃ）に示す赤い筐体の色成分の強さの分布を示すグラフである。
【図１３】（Ａ）は、図１１（Ａ）に示す画像データであり、（Ｂ）は、図１１（Ｂ）に示す青い筐体に取り付けられた表示画面に図１１（Ａ）に示す画像データを表示した状態を示す図であり、（Ｃ）は、図１１（Ｃ）に示す赤い筐体に取り付けられた表示画面に図１１（Ａ）に示す画像データを表示した状態を示す図である。
【図１４】（Ａ）は、図１１（Ａ）に示す画像データの色成分の強さの分布を示すグラフであり、（Ｂ）は、図１１（Ｂ）に示す青い筐体に取り付けられた表示画面に図２（Ａ）に示す画像データを表示したときの色成分の強さの分布を示すグラフであり、（Ｃ）は、図１１（Ｃ）に示す赤い筐体に取り付けられた表示画面に図１１（Ａ）に示す画像データを表示したときの色成分の強さの分布を示すグラフであり、（Ｂ）’は、図１１（Ｂ）に示す青い筐体に取り付けられた表示画面に図１１（Ａ）に示す画像データを表示したときに実際に見える色成分の強さの分布を示すグラフであり、（Ｃ）’は、図１１（Ｃ）に示す赤い筐体に取り付けられた表示画面に図１１（Ａ）に示す画像データを表示したときに実際に見える色成分の強さの分布を示すグラフである。
【図１５】（Ａ）は、図１１（Ａ）に示す画像データの色成分の強さの分布を示すグラフであり、（Ｂ）は、図１４（Ｂ）’の表示画面部分に着目したグラフであり、（Ｃ）は、図１４（Ｃ）’の表示画面部分に着目したグラフである。
【図１６】（Ａ）は、図１１（Ａ）に示す画像データであり、（Ｂ）は、図１５（Ｂ）に示す色成分の強さの分布を有する画像データであり、（Ｃ）は、図１５（Ｃ）に示す色成分の強さの分布を有する画像データである。
【図１７】（Ａ）は、図１１（Ａ）に示す画像データの色成分の強さの分布を示すグラフであり、（Ｂ）は、図１１（Ｂ）に示す青い筺体の色に応じて輝度を補正した画像データの色成分の強さの分布を示すグラフであり、（Ｃ）は、図１１（Ｃ）に示す赤い筺体の色に応じて輝度を補正した画像データの色成分の強さの分布を示すグラフであり、（Ｂ）’は、図１１（Ｂ）に示す青い筐体に取り付けられた表示画面に図１７（Ｂ）に示す補正後の画像データを表示したときに実際に見える色成分の強さの分布を示すグラフであり、（Ｃ）’は、図１１（Ｃ）に示す赤い筐体に取り付けられた表示画面に図１７（Ｃ）に示す補正後の画像データを表示したときに実際に見える色成分の強さの分布を示すグラフである。
【図１８】（Ａ）は、図１１（Ａ）に示す画像データであり、（Ｂ）は、図１７（Ｂ）に示す色成分の強さの分布を有する画像データであり、（Ｃ）は、図１７（Ｃ）に示す色成分の強さの分布を有する画像データである。
【図１９】実施形態のコンピュータ表示制御装置に用いられる、色合いを調整可能なバックライトの構成例を示すブロック図である。
【図２０】（Ａ）は、図１１（Ａ）に示す画像データであり、（Ｂ）は、図１１（Ｂ）に示す青い筐体に取り付けられた表示画面に図１８（Ｃ）に示す画像データを表示した状態を示す図であり、（Ｃ）は、図１１（Ｃ）に示す赤い筐体に取り付けられた表示画面に図１８（Ｃ）に示す画像データを表示した状態を示す図である。
【図２１】（Ａ）は、図１に示すコンピュータ表示処理装置において、表示画面に表示される画像データの例を示す図であり、（Ｂ）および（Ｃ）は、それぞれ、色彩が同じで大きさが異なる筺体の例を示す図である。
【図２２】（Ａ）は、図２１（Ａ）に示す画像データの明るさの分布を示すグラフであり、（Ｂ）は、図２１（Ｂ）に示す小さい黒い筐体の明るさの分布を示すグラフであり、（Ｃ）は、図２１（Ｃ）に示す大きい黒い筐体の明るさの分布を示すグラフである。
【図２３】（Ａ）は、図２１（Ａ）に示す画像データであり、（Ｂ）は、図２１（Ｂ）に示す小さい黒い筐体に取り付けられた表示画面に図２１（Ａ）に示す画像データを表示した状態を示す図であり、（Ｃ）は、図２１（Ｃ）に示す大きい黒い筐体に取り付けられた表示画面に図２１（Ａ）に示す画像データを表示した状態を示す図である。
【図２４】（Ａ）は、図２１（Ａ）に示す画像データの明るさの分布を示すグラフであり、（Ｂ）は、図２１（Ｂ）に示す小さい黒い筐体に取り付けられた表示画面に図２１（Ａ）に示す画像データを表示したときの明るさの分布を示すグラフであり、（Ｃ）は、図２１（Ｃ）に示す大きい黒い筐体に取り付けられた表示画面に図２１（Ａ）に示す画像データを表示したときの明るさの分布を示すグラフであり、（Ｂ）’は、図２１（Ｂ）に示す小さい黒い筐体に取り付けられた表示画面に図２１（Ａ）に示す画像データを表示したときに実際に見える明るさの分布を示すグラフであり、（Ｃ）’は、図２１（Ｃ）に示す大きい黒い筐体に取り付けられた表示画面に図２１（Ａ）に示す画像データを表示したときに実際に見える明るさの分布を示すグラフである。
【図２５】（Ａ）は、図２１（Ａ）に示す画像データの明るさの分布を示すグラフであり、（Ｂ）は、図２４（Ｂ）’の表示画面部分に着目したグラフであり、（Ｃ）は、図２４（Ｃ）’の表示画面部分に着目したグラフである。
【図２６】（Ａ）は、図２１（Ａ）に示す画像データであり、（Ｂ）は、図２５（Ｂ）に示す明るさの分布を有する画像データであり、（Ｃ）は、図２５（Ｃ）に示す明るさの分布を有する画像データである。
【図２７】（Ａ）は、図２１（Ａ）に示す画像データの明るさの分布を示すグラフであり、（Ｂ）は、図２１（Ｂ）に示す小さい黒い筺体の色に応じて輝度を補正した画像データの明るさの分布を示すグラフであり、（Ｃ）は、図２１（Ｃ）に示す大きい黒い筺体の色に応じて輝度を補正した画像データの明るさの分布を示すグラフであり、（Ｂ）’は、図２１（Ｂ）に示す小さい黒い筐体に取り付けられた表示画面に図２７（Ｂ）に示す補正後の画像データを表示したときに実際に見える明るさの分布を示すグラフであり、（Ｃ）’は、図２１（Ｃ）に示す大きい黒い筐体に取り付けられた表示画面に図２７（Ｃ）に示す補正後の画像データを表示したときに実際に見える明るさの分布を示すグラフである。
【図２８】（Ａ）は、図２１（Ａ）に示す画像データであり、（Ｂ）は、図２７（Ｂ）に示す明るさの分布を有する画像データであり、（Ｃ）は、図２７（Ｃ）に示す明るさの分布を有する画像データである。
【図２９】（Ａ）は、図２１（Ａ）に示す画像データであり、（Ｂ）は、図２１（Ｂ）に示す小さい黒い筐体に取り付けられた表示画面に図２８（Ｃ）に示す画像データを表示した状態を示す図であり、（Ｃ）は、図２１（Ｃ）に示す大きい黒い筐体に取り付けられた表示画面に図２８（Ｃ）に示す画像データを表示した状態を示す図である。
【図３０】（Ａ）は、実施形態のコンピュータ表示処理装置における筐体種類毎の輝度補正値の一例を示す図であり、（Ｂ）は輝度初期値の一例を示す図である。
【図３１】実施形態のコンピュータ表示処理装置における筐体種類毎の色成分補正値の一例を示す図である。
【図３２】実施形態のコンピュータ表示処理装置において、表示画面上で筐体の種類を選択する際の画面表示例を示す平面図である。
【図３３】実施形態のコンピュータ表示処理装置における、筐体種類の設定および筺体種類に応じた輝度補正処理を説明するためのフローチャートである。
【図３４】実施形態のコンピュータ表示処理装置において、表示設定変更操作および周囲光の変化があった場合に逐次行われる、筐体種類に応じた逐次輝度補正処理を説明するためのフローチャートである。
【図３５】（Ａ）〜（Ｄ）は、それぞれ、実施形態のコンピュータ表示処理装置における表示輝度設定値と明るさとの関係の一例を示すグラフである。
【図３６】（Ａ）および（Ｂ）は、それぞれ、実施形態のコンピュータ表示処理装置における輝度設定値と輝度値との対応例を示す図である。
【図３７】（Ａ）〜（Ｄ）は、それぞれ、実施形態のコンピュータ表示処理装置における周囲明るさと表示輝度との関係の一例を示すグラフである。
【図３８】（Ａ）〜（Ｄ）は、それぞれ、実施形態のコンピュータ表示処理装置における表示色温度設定値と色合いとの関係の一例を示すグラフである。
【図３９】（Ａ）および（Ｂ）は、それぞれ、実施形態のコンピュータ表示処理装置における色温度設定値と各色成分の輝度値との対応例を示す図である。
【図４０】（Ａ）〜（Ｄ）は、それぞれ、実施形態のコンピュータ表示処理装置における周囲明るさと色輝度との関係の一例を示すグラフである。
【図４１】（Ａ）〜（Ｃ）は、それぞれ、周囲光の色合いを加味して表示画面の調整を行う方法を説明するためのグラフであり、（Ａ）は筺体の色成分の強さの分布を示すグラフであり、（Ｂ）は周囲光の色成分の強さの分布を示すグラフであり、（Ｃ）は筺体の見かけ上の色成分の強さの分布を示すグラフである。
【図４２】従来の表示装置の構成を示す平面図である。
【図４３】表示装置と操作者の視点との位置関係を説明するための断面図である。
【図４４】表示装置における表示画面の見え方を説明するための平面図である。
【符号の説明】
１　　コンピュータ表示処理装置
２　　液晶表示ユニット
２ａ　　表示画面
２ｂ　　筺体
３　　表示信号入力回路
４　　表示変換調整回路
５　　マイクロコントローラ
６　　ＲＯＭ
７　　ＲＡＭ
８　　ＥＥＰＲＯＭ
９　　Ｉ／Ｏポート
１０　　ＫＥＹ
１１　　周囲光センサ
１２　　内部バス
１３　　インバータ
１４　　バックライト
１４Ｒ　　ＬＥＤ赤
１４Ｇ　　ＬＥＤ緑
１４Ｂ　　ＬＥＤ青
１５Ｒ　　Ｒ制御部
１５Ｇ　　Ｇ制御部
１５Ｂ　　Ｂ制御部
２０　　台
３０　　操作者視点
１００　　表示装置
１０１　　表示部
１０２　　コントラスト調整つまみ
１０３　　輝度調整つまみ
１０４　　光検出センサ
１０５　　温度センサ
１０６　　物体検出センサ
【図１】
2004045466.tif 000003
【図２】
2004045466.tif 000004
【図３】
2004045466.tif 000005
【図４】
2004045466.tif 000006
【図５】
2004045466.tif 000007
【図６】
2004045466.tif 000008
【図７】
2004045466.tif 000009
【図８】
2004045466.tif 000010
【図９】
2004045466.tif 000011
【図１０】
2004045466.tif 000012
【図１１】
2004045466.tif 000013
【図１２】
2004045466.tif 000014
【図１３】
2004045466.tif 000015
【図１４】
2004045466.tif 000016
【図１５】
2004045466.tif 000017
【図１６】
2004045466.tif 000018
【図１７】
2004045466.tif 000019
【図１８】
2004045466.tif 000020
【図１９】
2004045466.tif 000021
【図２０】
2004045466.tif 000022
【図２１】
2004045466.tif 000023
【図２２】
2004045466.tif 000024
【図２３】
2004045466.tif 000025
【図２４】
2004045466.tif 000026
【図２５】
2004045466.tif 000027
【図２６】
2004045466.tif 000028
【図２７】
2004045466.tif 000029
【図２８】
2004045466.tif 000030
【図２９】
2004045466.tif 000031
【図３０】
2004045466.tif 000032
【図３１】
2004045466.tif 000033
【図３２】
2004045466.tif 000034
【図３３】
2004045466.tif 000035
【図３４】
2004045466.tif 000036
【図３５】
2004045466.tif 000037
【図３６】
2004045466.tif 000038
【図３７】
2004045466.tif 000039
【図３８】
2004045466.tif 000040
【図３９】
2004045466.tif 000041
【図４０】
2004045466.tif 000042
【図４１】
2004045466.tif 000043
【図４２】
2004045466.tif 000044
【図４３】
2004045466.tif 000045
【図４４】
2004045466.tif 000046